(57)【要約】 【課題】  衝撃に強いツールビオンを具備した時計ムーブメントを提供する。【解決手段】  本発明のツールビオンを具備した時計ムーブメントにおいて、前記キャリッジは、前記キャリッジの上部ブリッジと底部ブリッジにより、それぞれ搭載される上端回転軸と下端回転軸とを有し、前記キャリッジは、時計ムーブメントの底部プレートと、前記時計ムーブメントのブリッジとの間で回転する。  本発明のツールビオンを具備した時計ムーブメントは、キャリッジの軸方向の振動を制限する停止部材を更に有する。【選択図】  図２
2010223958.tif 000002
【特許請求の範囲】
【請求項１】
ツールビオン機構を具備した時計ムーブメントにおいて、
前記ツールビオンのキャリッジ（１２）は、上部ブリッジ（３４）と底部ブリッジ（３０）により、それぞれ搭載される上端回転軸（２０）と下端回転軸（１８）とを有し、
前記キャリッジ（１２）は、時計ムーブメントの底部プレート（２２）と、前記時計ムーブメントのブリッジ（２４）との間で回転し、
前記キャリッジ（１２）の軸方向の振動を制限する停止部材（３６）を更に有する
ことを特徴とする時計のムーブメント。
【請求項２】
前記停止部材（３６）は、前記ムーブメントの底部プレート（２２）に搭載される
ことを特徴とする請求項１記載の時計のムーブメント。
【請求項３】
前記停止部材は、前記キャリッジの底部ブリッジ（３０）と共働する
ことを特徴とする請求項１又は２記載の時計のムーブメント。
【請求項４】
前記下端回転軸（１８）を搭載するソケット（３０ｃ）が、前記キャリッジの底部ブリッジ（３０）の中心部分から伸び、
前記ソケットは、肩部（１８ｃ）を有し、
前記停止部材（３６ｄ）は、前記肩部と共働して、前記キャリッジ（１２）の軸方向振動を押さえる
ことを特徴とする請求項２記載の時計のムーブメント。
【請求項５】
前記下端回転軸（１８）は、前記底部プレートにより搭載される底部軸受け（２６）内に収納され、
衝撃がない場合には、前記停止部材と前記肩部との間の距離（Ｄ）は、軸受け内に下端回転軸が入る長さ（Ｌ）よりも、短い
ことを特徴とする請求項４記載の時計のムーブメント。
【請求項６】
前記停止部材は、第１位置と第２位置との間で可動であり、
前記第１位置は、組立位置と称し、前記停止部材が前記肩部の軸方向空間から外れる位置であり、
前記第２位置は、動作位置と称し、前記停止部材が前記肩部の軸方向空間内にある位置である
ことを特徴とする請求項５記載の時計のムーブメント。
【請求項７】
前記停止部材は、ヒンジ付レバーであり、
前記ヒンジ付レバーは、第１制御部分（３６ａ）とそれに連続する第２停止部材（３６ｂ）とを有し、
前記第２停止部分は、円弧状をしており、
前記第１制御部分は、第２停止部分の端部にある
ことを特徴とする請求項６記載の時計のムーブメント。
【請求項８】
前記停止部材を動作位置に固定するロック部材（３８）
を更に有する
ことを特徴とする請求項７記載の時計のムーブメント。
【請求項９】
前記ロック部材は、ピンであり、
前記ピンは、前記停止部材の第１制御部分（３６ａ）内に形成された開口（４０）内に収納される
ことを特徴とする請求項８記載の時計のムーブメント。
【請求項１０】
前記底部プレートに取り付けられるカップ形状部分（２８）を更に有し、
前記カップ形状部分の底部（２８ａ）は、環状壁（２８ｂ）につながり、固定歯（２８ｃ）を具備するエッジの端部につながり、
前記エッジの端部で、エスケープピニオンが回転し、前記エッジの端部内に、前記キャリッジの下端回転軸を搭載する前記ソケット（３０ｃ）が伸び、
前記停止部材は、前記カップ状部品内にヒンジ止めされる
ことを特徴とする請求項７−９のいずれかに記載の時計のムーブメント。
【請求項１１】
前記カップ状部品の環状壁（２８ｂ）は、開口（４２）を有し、
前記開口を、前記停止部材の第１制御部分（３６ａ）が貫通する
ことを特徴とする請求項１０記載の時計のムーブメント。
【請求項１２】
前記停止部材は、前記ツールビオンのキャリッジ（１２）に搭載される
ことを特徴とする請求項１記載の時計のムーブメント。
【請求項１３】
前記停止部材は、前記ツールビオンキャリッジの下端回転軸（１８）に搭載される
ことを特徴とする請求項１２記載の時計のムーブメント。
【請求項１４】
前記下端回転軸は、前記キャリッジの反対側で前記軸受けの外に突出し、
前記停止部材は、前記下端回転軸の突出した部分上に止められるワッシャである
ことを特徴とする請求項１３記載の時計のムーブメント。
【請求項１５】
前記底部軸は、前記キャリッジの反対側で前記軸受けの外に突出し、
前記停止部材は、前記下端回転軸の突出した部分の自由端にねじ込まれるネジ部材である
ことを特徴とする請求項１３記載の時計のムーブメント。
【発明の詳細な説明】
【技術分野】
【０００１】
本発明は、衝撃吸収装置を具備したツールビオン付時計ムーブメントに関する。本発明は、特にこの種の時計ムーブメントを具備した時計に関する。
【背景技術】
【０００２】
ツールビオンムーブメントは、機械式時計の精度を改善する装置である。この装置は、地球の重力によるテンプの等時性に対する障害を取り除くものである。この為、テンプと脱進機を含む調整部材が、ツールビオン・キャリッジに搭載される。このツールビオン・キャリッジは１分間に一回転する。
【０００３】
ツールビオン・キャリッジは、２つの軸の間に配置される。これらの軸は、ムーブメントの底部プレートとムーブメントのブリッジに搭載される。別の構成としては、キャリッジは、ボール軸受けの中を回転して、ツールビオン・キャリッジが文字盤側から見えるようにしているものある。
【０００４】
軸が、底部プレートとブリッジの間で回転すると、キャリッジは、上部ブリッジを搭載するピラーが固定される底部ブリッジから形成される。上部ブリッジと底部ブリッジは、底部プレートが搭載する石（軸受け）とムーブメントのブリッジが搭載する石（軸受け）の中で、回転する軸を搭載する。
【０００５】
この実施例によれば、ムーブメントブリッジは、せり出したビーム又は両端に取付られたビームのいずれかにより形成される。
【０００６】
これらのツールビオンの機構の欠点は、衝撃に弱いことである。３５００Ｇ以上の加速度に耐えるような機構を形成することは困難であるが、ＮＩＨＳの標準は、５０００Ｇの加速度に耐えることを要求している。
【０００７】
大きな衝撃が時計にかかると、ツールビオンキャリッジの重量は、ムーブメントのブリッジが曲がる程又は損傷を受ける程である大きくなる。その結果、キャリッジが回転軸に沿って移動し、キャリッジの底部軸が、石からなる軸受け（ハウジング）から飛び出してしまうことがある。衝撃の強さとキャリッジの移動量によっては、軸は、もといたハウジングに戻ることはなく、その結果、キャリッジが突然停止し、更にはムーブメントが回転しなくなる。この種の衝撃の後、時計を再び動かすためには、時計業者の助けが必要である。ある場合には、キャリッジの移動量は、ガンギ車のピニオンが、固定第２歯車から外れるほどであり、香箱スプリングが、突然解放されて、機構の一部部品の破損に結びつくことがある。この様な欠点は、より柔軟なせり出したビームから形成される上部ブリッジの場合は、よりひどくなる。
【０００８】
この種の問題を解決する様々な試みがなされている。例えば、キャリッジをより軽くすること、ムーブメントブリッジをより強くすること特にその寸法を大きくすること、更には又キャリッジの下端回転軸を長くすることがその対策として行われている。しかしこれらの措置は、デザインを複雑にするだけで満足する結果を得られない。又これらの機構を具備した時計の審美的魅力にも影響を及ぼす。
【発明の概要】
【発明が解決しようとする課題】
【０００９】
本発明の目的は、上記の欠点を解決することである。本発明の目的は、耐衝撃性を改善したツールビオンを具備した時計ムーブメントを提供することである。本発明の更なる目的は、簡単かつ経済的な設計で、実現しやすい時計ムーブメントを提供することである。本発明の別の目的は、通常の美的外観に影響を及ぼすことなく、この種の時計ムーブメントを提供することである。
【課題を解決するための手段】
【００１０】
本発明によれば、ツールビオン機構を具備した時計ムーブメントにおいて、
前記ツールビオンのキャリッジ１２は、上部ブリッジ３４と底部ブリッジ３０により、それぞれ搭載される上端回転軸２０と下端回転軸１８とを有する。前記キャリッジは、時計ムーブメントの底部プレート２２と、前記時計ムーブメントのブリッジ２４との間で回転する。本発明の時計ムーブメントは、前記キャリッジの軸方向の振動を制限する停止部材３６を更に有する。
【００１１】
これらの特徴により、時計ムーブメントの耐衝撃性が保障される。これは、キャリッジの軸方向の最大移動量が制限されているからである。その結果、キャリッジの軸が、軸受けのハウジングから飛び出すことがない。
【００１２】
本発明の一実施例によれば、前記停止部材は、前記ムーブメントの底部プレート２２に搭載される。前記停止部材は、前記キャリッジの底部ブリッジ３０と共働する。
【００１３】
本発明の一実施例によれば、前記下端回転軸１８を搭載するソケット３０ｃが、前記キャリッジの底部ブリッジ３０の中心部分から伸び、前記ソケットは、肩部１８ｃを有し、前記停止部材３６ｄは、前記肩部と共働して、前記キャリッジの軸方向振動を押さえる。
【００１４】
本発明の一実施例によれば、前記下端回転軸１８は、前記底部プレートにより搭載される底部軸受け２６内に収納され、衝撃がない場合には、前記停止部材と前記肩部との間の距離（Ｄ）は、軸受け内に下端回転軸が入る長さ（Ｌ）よりも、短い。
【００１５】
本発明の一実施例によれば、前記停止部材は、第１位置と第２位置との間で可動であり、前記第１位置は、組立位置と称し、前記停止部材が前記肩部の軸方向空間から外れる位置であり、前記第２位置は、動作位置と称し、前記停止部材が前記肩部の軸方向空間内にある位置である。
本発明の一実施例によれば、前記停止部材は、レバーであり、前記レバーは、第１制御部分３６ａとそれに連続する第２停止部材３６ｂとを有し、前記第２停止部分は、円弧状をしており、前記第１制御部分は、第２停止部分の端部にある。
【００１６】
本発明の一実施例によれば、前記停止部材は、前記ツールビオンキャリッジの下端回転軸１８に搭載される。前記下端回転軸は、前記キャリッジの反対側で前記軸受けの外に突出し、前記停止部材は、前記下端回転軸の突出した部分上に止められるワッシャである。前記底部軸は、前記キャリッジの反対側で前記軸受けの外に突出し、前記停止部材は、前記下端回転軸の突出した部分の自由端にねじ込まれるネジ部材である。
【図面の簡単な説明】
【００１７】
【図１】本発明の時計ムーブメントのツールビオンのある領域の上面図。
【図２】図１の線ＩＩ−ＩＩに沿った時計ムーブメントの部分断面図。
【図３】動作時におけるキャリッジ（図示せず）の軸方向の動きを制限する停止部材を有する本発明のツールビオン付の時計ムーブメントの平面図。
【図４】組立時におけるキャリッジ（図示せず）の軸方向の動きを制限する停止部材を有する本発明のツールビオン付の時計ムーブメントの平面図。
【図５】図３の線Ｖ−Ｖ（Ｖ２とＶ１と３８の軸を結ぶ線）に沿った断面図。
【図６】図３に示した本発明の時計ムーブメントの斜視図。
【図７】図４に示した本発明の時計ムーブメントの斜視図。
【図８】本発明のツールビオンを具備する時計ムーブメントの第２実施例の一変形例の部分断面図。
【図９】本発明のツールビオンを具備する時計ムーブメントの第２実施例の他の変形例の部分断面図。
【発明を実施するための形態】
【００１８】
図１，２に、本発明のツールビオン１０を具備した時計ムーブメント１を腕時計に適用した例を示す。時計ムーブメント１はケースを有する。このケースは上部をガラスで底部をバックカバー（図示せず）で封止する。ガラスの下に時針と分針がありこれらは時計ムーブメント１をカバーする文字盤の上方で回転する。時計ムーブメント１はツールビオン１０を有する。ツールビオン１０は、文字盤の窓あるいは他の半透明要素内で見ることができ、例えばムーブメントの底部プレートから見ることができる。従来と同様に、ツールビオン１０は、回転するツールビオン・キャリッジ１２を有する。このツールビオン・キャリッジ１２は、調整部材を形成するテンプ１６が振動する軸心１４の回りを回転する。ツールビオン・キャリッジ１２は、調整部材を共に働くガンギ車Ｅを有する。
【００１９】
図２において、ツールビオン・キャリッジ１２は、２本の軸即ち下端回転軸１８と上端回転軸２０の間に配置される。この下端回転軸１８はムーブメントの底部プレート２２内に、上端回転軸２０はムーブメントのブリッジ２４内に配置される。
【００２０】
図２から分かるように、ツールビオン・キャリッジ１２の下端回転軸１８は、ムーブメントの底部プレート２２が搭載する宝石製軸受け２６内で、カップ２８を介して回転する。カップ２８は、底部２８ａを有する。この底部２８ａは、環状壁２８ｂの形態で固定歯２８ｃの端部まで延びる。この固定歯２８ｃの上をツールビオン・エスケープ・ピニオンＰＥが回転する。この実施例においては、固定歯２８ｃは、カップ２８から外側に伸びる。
【００２１】
下端回転軸１８は、ツールビオン・キャリッジ１２の底部ブリッジ３０に搭載される。この実施例によれば、底部ブリッジ３０は、ベース・プレート３０ａを有する。ベース・プレート３０ａは、上方向（図２で）に、アーム３０ｂとなって伸びる。アーム３０ｂはステップ形状をしている。ベース・プレート３０ａは、ソケット型部分３０ｃを有する。ソケット型部分３０ｃは、ベース・プレート３０ａの中央部分から下方向（図２で）に伸びる。ソケット型部分３０ｃは下端回転軸１８を搭載する。下端回転軸１８がソケット型部分３０ｃ内回転する。下端回転軸１８の先端はスタッド１８ａを有する。このスタッド１８ａは、宝石製軸受け２６で形成されるハウジング内で回転する。下端回転軸１８の中間部品は、歯付き部分１８ｂを有する。この歯付き部分１８ｂは、メインスプリングで駆動されるムーブメントの歯車と共働して、ツールビオン・キャリッジ１２を回転させる。かくして、底部ブリッジ３０は、歯付き部分１８ｂを介して、ツールビオン・キャリッジ１２を時計のムーブメントの残りの部品にリンクする力学的連結／結合を構成する。下端回転軸１８の根本部分は肩部１８ｃを有する。この肩部１８ｃの直径は、ソケット型部分３０ｃの直径よりも大きく、前記ソケット３０ｃが肩部１８ｃを支える／搭載する。
【００２２】
本発明の変形例によれば、底部ブリッジ３０は下端回転軸１８と一体である。
ベース・プレート３０ａは、従来と同様に、エスケープ・ブリッジＰと、エスケープ・ホイルセットＭＥの軸受けと、パレットＡの軸受けとを搭載する。
【００２３】
ツールビオン・キャリッジ１２の上端回転軸２０は、ツールビオン・ブリッジ２４が搭載する宝石製軸受け３２内で回転する。ツールビオン・ブリッジ２４はせり出しビームを有する。このせり出しビームは、ムーブメントの底部プレート２２にネジ部材で固定される。上端回転軸２０を、ツールビオン・キャリッジ１２の上部ブリッジ３４が搭載する。この実施例においては、上部ブリッジ３４は、ベース・プレート３４ａを有する。ベース・プレート３４ａは、上端回転軸２０を搭載する。ベース・プレート３４ａは、図２で下方向に、アーム３４ｂの形態で伸びる。このアーム３４ｂは、ツールビオン・キャリッジ１２の底部ブリッジ３０のアーム３０ｂに対しステップ形状を有する。ツールビオン・キャリッジ１２の底部ブリッジ３０と上部ブリッジ３４は、互いにそれぞれのアームを介して結合される。
【００２４】
本発明によれば、ツールビオンの付いた時計ムーブメント１は、ツールビオン・キャリッジ１２の軸方向の振動を、特に時計が落下する際の衝撃を、押さえる停止部材３６を有する。
【００２５】
「軸方向の振動（衝撃）」とは、ツールビオン・キャリッジ１２の軸１４に沿った動きと定義する。これは、衝撃を受けた際に、ツールビオン・ブリッジ２４が曲がることにより起きる。様々な部品の製造誤差と組立誤差があると、この軸方向振動は、制限手段がない場合には、例えば本発明の停止部材３６を具備しない場合には、０．４ｍｍから０．５０ｍｍに達することがある。
【００２６】
図１−５に示す実施例において、停止部材３６は、ムーブメントの底部プレート２２に搭載され、ツールビオン・キャリッジ１２の底部ブリッジ３０と共働する。
【００２７】
より具体的には、図５に示すように、停止部材部分３６ｄは、底部ブリッジ３０が搭載する肩部１８ｃと共働する（当たる）。衝撃がない場合には、停止部材部分３６ｄと肩部１８ｃとの間の距離Ｄ（図５）は、軸受け２６内への下端回転軸１８のスタッド１８ａの挿入長さＬ（図５）よりも小さい。かくして本発明の時計ムーブメントの構造を具備した時計が大きな衝撃を受けるても、衝撃により引き起こされるツールビオン・キャリッジ１２の動きは、値Ｄを越えることはなく、その結果スタッド１８ａは、のハウジングから飛び出すことはない。通常距離Ｄは０．２０ｍｍで、挿入長さＬは０．３５ｍｍである。
【００２８】
この実施例においては、停止部材３６は、第１位置と第２位置との間を動くよう搭載される。第１位置は組立位置（図４，７）とも称し、この第１位置においては、停止部材３６ａは、肩部１８ｃの軸方向空間から外れており、ツールビオン・キャリッジ１２は、底部プレート２２の上に搭載できる。第２位置は動作位置（図３，６）とも称し、この第２位置において、停止部材３６は肩部１８ｃの軸方向空間の上にある。停止部材３６は、カップ２８の底部２８ａに、ネジ部材Ｖ１によりヒンジ止めされる。ネジ部材Ｖ１は、通常カップ２８の底部２８ａを通り、ブリッジ２４にねじ込まれる。
【００２９】
この点に関し、この停止部材を、ツールビオン機構の第２の安定ピンのカップ内に搭載するのが好ましい。その理由は、この停止部材は、機構内にある空いた空間を専有するだけだからである。
【００３０】
停止部材３６はヒンジ付レバーの形態を採る。このレバーは、第１制御部分３６ａとそれに連続する第２停止部分３６ｂを有する。この第１制御部分３６ａは、長方形のアームの形状をしている。第２停止部分３６ｂは、円弧形状の固体ブロックの形態を採る。第１制御部分３６ａは第２停止部分３６ｂの端部から伸びる。この第２停止部分３６ｂ内にヒンジ付のレバーが、部分３６ｃ（ネジ部材Ｖ１）を中心に回転する。第２停止部分３６ｂの厚さは第１制御部分３６ａのそれよりも大きい。第２停止部分３６ｂの上部で内側を向いた周囲エッジは、突起部３６ｄを有する。突起部３６ｄは、停止部材３６が動作状態にある時に、肩部１８Ｃに当たる停止表面を規定する。第２停止部分３６ｂの底部で内側を向いた周囲のエッジは、溝３６ｅを有する。溝３６ｅの形状は、ネジ部材Ｖ２の形状に嵌まる形状をとる。両方とも、回転時にはガイドとして、衝撃の際に、停止部材３６を軸方向にブロックするものとして使用される。
【００３１】
停止部材３６を動作位置に保持するために、時計ムーブメント１は、更にロック部材３８を有する。ロック部材３８は、ムーブメントの底部プレート内にねじ込まれるピンである。ピンであるロック部材３８は、長方形の開口４０内に収納される。開口４０は、動作中の停止部材３６の第１制御部分３６ａ内に形成される。カップ２８の環状壁２８ｂは長方形の開口４２を有する。開口４２を通して停止部材３６の第１制御部分３６ａが伸びる。この点に関し、カップ２８は、ツールビオン・キャリッジ１２の駆動歯車（図示せず）の歯付き部分１８ｂ方向への通路用の開口Ｏを有する。
【００３２】
停止部材を前記の２つの位置の間で可動にすることにより、ツールビオンの組立が容易になる。軸受け（石）２６を搭載したカップ２８が、底部プレート２２に組み立てられると、停止部材３６が、カップ２８の底部に搭載され、その後、その組立位置内で回転する。この組立位置においては、ツールビオン・キャリッジ１２は、その軸に容易に搭載される。ツールビオンキャリッジがその場所に設定されると、停止部材３６は、回転するだけで、その操作位置内にロックされる。この操作位置においては、停止部材３６の部分３６ｃが、キャリッジ３０の底部ブリッジの肩部１８ｃに直交して配置される。かくして、ツールビオン・キャリッジ１２の軸方向の振動が、あらゆる状況下において、距離Ｄに制限される。この距離Ｄは、肩部１８ｃと停止部材の部分３６ｄとの間の距離である。
【００３３】
図８は、本発明の第２実施例のツールビオン時計ムーブメントを示す。
【００３４】
図８に示す第２実施例と図１−７の第１実施例との差異は、停止部材３６は、底部プレート２２に搭載されるのではなく、ツールビオン・キャリッジ１２に搭載される点である。具体的には、停止部材３６は、ツールビオンキャリッジの下端回転軸１８のスタッド１８ａが搭載する。スタッド１８ａは、スタッド１８ａが軸受け２６から突出するような長さである。停止部材３６は、スタッド１８ａの突出部分に嵌められるワッシャで形成される。ある変形例においては、スタッド１８ａの突出部分は環状溝を有し、ワッシャは弾性リングの形態を採る。
【００３５】
図９は、図８の第２実施例の別の実施例を示す。この別の実施例においては、停止部材３６は、底部ピボットの突出部分の自由端に、軸方向からねじ込まれるネジ部材のヘッドにより構成される。
【００３６】
本発明の変形例として、第１実施例の停止部材を、ムーブメントの底部プレート上であるいはカップ内で回転せずに、スライドするよう搭載することもできる。第１実施例においては、２個の停止部材を互いに向かい合うように具備することもできる。第１実施例の更なる変形例においては、停止部材は不動にすることもできる。この場合、停止部材は、例えば動作位置にあるカップの底部内に、キャリッジが搭載された後、カップの下からねじ込むことができる。更なる変形例においては、停止部材は、カップの外側から底部ピボットから離れた位置に搭載することもできる。しかし停止部材を前記ピボットにできるだけ近く配置して、振れを制限するのが好ましい。
【００３７】
本発明のツールビオン時計ムーブメントを、腕時計を例に説明したが、本発明のツールビオン時計ムーブメントは他のタイプの時計例えば懐中時計にも適用可能である。
【００３８】
以上の説明は、本発明の一実施例に関するもので、この技術分野の当業者であれば、本発明の種々の変形例を考え得るが、それらはいずれも本発明の技術的範囲に包含される。特許請求の範囲の構成要素の後に記載した括弧内の番号は、図面の部品番号に対応し、発明の容易なる理解の為に付したものであり、発明を限定的に解釈するために用いてはならない。また、同一番号でも明細書と特許請求の範囲の部品名は必ずしも同一ではない。これは上記した理由による。用語「又は」に関して、例えば「Ａ又はＢ」は、「Ａのみ」、「Ｂのみ」ならず、「ＡとＢの両方」を選択することも含む。特に記載のない限り、装置又は手段の数は、単数か複数かを問わない。
【符号の説明】
【００３９】
１    時計ムーブメント
１０  ツールビオン
１２  ツールビオン・キャリッジ
１４  軸心
１６  テンプ
１８  下端回転軸
１８ａ  スタッド
１８ｂ  歯付き部分
１８ｃ  肩部
２０  上端回転軸
２２  底部プレート
２４  ブリッジ
２６  宝石製軸受け
２８  カップ
２８ａ  底部
２８ｂ  環状壁
２８ｃ  固定歯
３０  底部ブリッジ
３０ａ  ベース・プレート
３０ｂ  アーム
３０ｃ  ソケット型部品
３２  宝石製軸受け
３４  上部ブリッジ
３４ａ  ベース・プレート
３４ｂ  アーム
３６    停止部材    
３６ａ  第１制御部分
３６ｂ  第２停止部分
３６ｃ  部分
３６ｄ  突起部
３６ｅ  溝
３８  ロック部材
４０，４２  開口
【図１】
2010223958.tif 000003
【図２】
2010223958.tif 000004
【図３】
2010223958.tif 000005
【図４】
2010223958.tif 000006
【図５】
2010223958.tif 000007
【図６】
2010223958.tif 000008
【図７】
2010223958.tif 000009
【図８】
2010223958.tif 000010
【図９】
2010223958.tif 000011